(57)【要約】【課題】建築構造体の周囲に鉄筋コンクリート構造物を構築する場合、建築構造体の周囲に配置されたコンクリート型枠と建築構造物との間隔を一定に保持することができ、施工性及び汎用性に優れたセパレータを提供する。【解決手段】セパレータ１０は、建築構造体の一部にネジＮを用いて取り付け可能な固定部材１１と、固定部材１１の表面１１ａに一方の端部１２ｂ側が固着された直線状のセパレータ軸１２と、セパレータ軸１２の他方の端部１２ａ側に螺着されたＰコン１３と、を備えている。固定部材１１は四角形で平板形状の材料（例えば、鋼板）で形成され、その表面１１ａの中央にセパレータ軸１２の端部１２ｂが固着されている。固定部材１１において、セパレータ軸１２の端部１２ｂが固着された部分を挟んで対称な位置に貫通孔Ｈ，Ｈが開設されている。【選択図】図１
2020139326.tif 000002
【特許請求の範囲】
【請求項１】
建築構造体の一部にネジを用いて取り付け可能な固定部材と、
前記固定部材に一方の端部側が固着されたセパレータ軸と、
前記セパレータ軸の他方の端部側に螺着されたＰコンと、を備えたセパレータ。
【請求項２】
前記固定部材が、平板形状若しくはアングル形状である請求項１記載のセパレータ。
【請求項３】
前記固定部材に複数の前記セパレータ軸が固着された請求項１または２記載のセパレータ。
【請求項４】
前記固定部材若しくは前記セパレータ軸の少なくとも一方に係合した状態で前記建築構造体の一部にネジを用いて取り付け可能な補助固定部材を備えた請求項１〜３の何れかの項に記載のセパレータ。
【請求項５】
前記固定部材に、前記建築構造体の一部にネジを用いて取り付け可能な補助固定片を設けた請求項１〜３の何れかの項に記載のセパレータ。
【請求項６】
前記補助固定部材に、前記建築構造体の一部を貫通可能な鋭角部を設けた請求項４記載のセパレータ。
【請求項７】
前記補助固定片に、前記建築構造体の一部を貫通可能な鋭角部を設けた請求項５記載のセパレータ。
【発明の詳細な説明】
【技術分野】
【０００１】
本発明は、鉄筋コンクリート構造物を施工する工程においてコンクリート型枠を一定姿勢に保持するために使用するセパレータに関する。
【背景技術】
【０００２】
コンクリート型枠用のセパレータは、向かい合うように配置されたコンクリート型枠（コンクリートパネル）の間隔を一定に保持するための部材である。図１７に示すように、従来のセパレータ１００は、両端部分に雄ネジ部１０２，１０３が形成されたセパレータ軸１０１と、二つの雄ネジ部１０２，１０３に対し、それぞれ着脱可能に螺着されるＰコン１０４，１０５とを備えたものが一般的である。
【０００３】
一方、本発明に係るセパレータに関連する従来技術として、特許文献１に記載された「キリ付きＰコン」、特許文献２に記載された「角度調整用セパレーター」、特許文献３に記載された「羽子板型セパレータ支持具」あるいは特許文献４に記載された「コンクリート型枠組立て用具」などがある。
【先行技術文献】
【特許文献】
【０００４】
【特許文献１】実開昭５９−１７９９４６号公報
【特許文献２】実開昭６１−５２０３６号公報
【特許文献３】登録実用新案第３１６０２０３号公報
【特許文献４】特開２０１８−２８２０２号公報
【発明の概要】
【発明が解決しようとする課題】
【０００５】
図１７に示す、従来のセパレータ１００は、セパレータ軸１０１の両端部分の雄ネジ部１０２，１０３にそれぞれＰコン１０４，１０５を螺着する構成となっているため、互いに対向するように配置された複数のコンクリート型枠を一定間隔に保持する場合は好適である。
【０００６】
即ち、対向する複数のコンクリート型枠の間にコンクリートを打設し、打設されたコンクリートが固化した後、対向する全てのコンクリート型枠を撤去する施工を行う場合は好適である。
【０００７】
しかしながら、建築構造体の外側壁（例えば、木造軸組構造体の外側壁）と密着するコンクリート構造物（例えば、コンクリート壁体）を構築したい場合、前記外側壁から所定距離を隔てた位置に前記外側壁と対向する状態でコンクリート型枠を配置するとともに、前記外側壁とコンクリート型枠との間隔を一定に保持する必要があるが、図１７に示す、従来のセパレータ１００では対応することができない。
【０００８】
一方、特許文献１に記載された「キリ付きＰコン」、特許文献２に記載された「角度調整用セパレーター」、特許文献３に記載された「羽子板型セパレータ支持具」及び特許文献４に記載された「コンクリート型枠組立て用具」は、図１７に示すセパレータ１００では対応できない機能を有しているが、何れも、複数のコンクリート型枠同士を一定間隔に保持する機能に限られている。
【０００９】
従って、前述したように、建築構造体の外側壁から所定距離を隔てた位置に配置されたコンクリート型枠と、前記外側壁との間隔を一定に保持することができない。
【００１０】
そこで、本発明が解決しようとする課題は、建築構造体の周囲に鉄筋コンクリート構造物を構築する場合、建築構造体の周囲に配置されたコンクリート型枠と建築構造物との間隔を一定に保持することができ、施工性及び汎用性に優れたセパレータを提供することにある。
【課題を解決するための手段】
【００１１】
本発明に係るセパレータは、
建築構造体の一部にネジを用いて取り付け可能な固定部材と、
前記固定部材に一方の端部側が固着されたセパレータ軸と、
前記セパレータ軸の他方の端部側に螺着されたＰコンと、を備えたことを特徴とする。
【００１２】
前記セパレータにおいて、前記固定部材は、平板形状若しくはアングル形状とすることができる。
【００１３】
前記セパレータにおいては、前記固定部材に複数の前記セパレータ軸を固着することができる。
【００１４】
前記セパレータにおいては、前記固定部材若しくは前記セパレータ軸の少なくとも一方に係合した状態で前記建築構造体の一部にネジを用いて取り付け可能な補助固定部材を備えることができる。
【００１５】
前記セパレータにおいては、前記固定部材に、前記建築構造体の一部にネジを用いて取り付け可能な補助固定片を設けることができる。
【００１６】
前記セパレータにおいては、前記補助固定部材若しくは前記補助固定片に、前記建築構造体の一部を貫通可能な鋭角部を設けることができる。
【発明の効果】
【００１７】
本発明により、建築構造体の周囲に鉄筋コンクリート構造物を構築する場合、建築構造体の周囲に配置されたコンクリート型枠と建築構造物との間隔を一定に保持することができ、施工性及び汎用性に優れたセパレータを提供することができる。
【図面の簡単な説明】
【００１８】
【図１】本発明の第一実施形態であるセパレータを示す斜視図である。
【図２】図１中の矢線Ａ方向から見たセパレータの分解図である。
【図３】本発明の第二実施形態であるセパレータを示す斜視図である。
【図４】図３中の矢線Ｂ方向から見たセパレータの正面図である。
【図５】図３中の矢線Ｃ方向から見たセパレータの側面図である。
【図６】本発明の第三実施形態であるセパレータを示す斜視図である。
【図７】図６中の矢線Ｄ方向から見たセパレータの正面図である。
【図８】図１〜図７に示すセパレータの使用状態を示す一部省略水平断面図である。
【図９】（ａ）〜（ｃ）は図１に示すセパレータと組み合わせて使用する補助固定部材を示す斜視図である。
【図１０】図１に示すセパレータ及び図９（ｂ）に示す補助固定部材の使用例を示す一部省略斜視断面図である。
【図１１】図１に示すセパレータ及び図９（ｂ）に示す補助固定部材の施工後の状態を示す一部省略水平断面図である。
【図１２】本発明の第四実施形態であるセパレータを示す斜視図である。
【図１３】（ａ）〜（ｃ）は図３に示すセパレータと組み合わせて使用する補助固定部材を示す斜視図である。
【図１４】図３に示すセパレータ及び図１３（ａ）に示す補助固定部材の施工後の状態を示す一部省略垂直断面図である。
【図１５】図３に示すセパレータ及び図１３（ａ）に示す補助固定部材の施工後の状態を示す一部省略水平断面図である。
【図１６】本発明の第五実施形態であるセパレータを示す斜視図である。
【図１７】従来のセパレータを示す分解図である。
【発明を実施するための形態】
【００１９】
以下、図１〜図１６に基づいて、本発明の第一実施形態〜第五実施形態であるセパレータ１０，２０，３０，４０，５０及びその施工方法などについて説明する。
【００２０】
初めに、図１，図２に基づいて第一実施形態であるセパレータ１０について説明する。図１，図２に示すようにセパレータ１０は、建築構造体（図示せず）の一部にネジＮを用いて取り付け可能な固定部材１１と、固定部材１１の表面１１ａに一方の端部１２ｂ側が固着された直線状のセパレータ軸１２と、セパレータ軸１２の他方の端部１２ａ側に螺着されたＰコン１３と、を備えている。
【００２１】
固定部材１１は四角形で平板形状の材料（例えば、鋼板）で形成され、その表面１１ａの中央にセパレータ軸１２の端部１２ｂが固着されている。セパレータ軸１２の端部１２ｂは溶接部Ｗによって固定部材１１に固着されているが、固着手段は限定されない。固定部材１１において、セパレータ軸１２の端部１２ｂが固着された部分を挟んで対称な位置に貫通孔Ｈ，Ｈが開設されている。
【００２２】
図１に示すように、Ｐコン１３の拡径側の端部１３ａに開口する擂鉢状の凹部１３ｃから外側に向かって軸体１４が立設され、軸体１４の先端１４ａ側に雄ネジ部Ｍが形成されている。軸体１４の基端側（凹部１３ｃ内に位置する部分）にはナット部１４ｎが形成されている。
【００２３】
図２に示すように、セパレータ軸１２の端部１２ａ側には雄ネジ部Ｍが形成され、Ｐコン１３の縮径側の端部１３ｂから拡径側の端部１３ａに向かって雌ネジ部Ｆが形成されている。セパレータ軸１２の端部１２ａの雄ネジ部Ｍに対し、Ｐコン１３の雌ネジ部Ｆが着脱可能に螺着される。
【００２４】
次に、図３〜図５に基づいて、第二実施形態であるセパレータ２０について説明する。なお、セパレータ２０において、前述したセパレータ１０と共通する部分については、図１，図２中の符号と同符号を付して説明を省略する。
【００２５】
セパレータ２０は、建築構造体（図示せず）の一部にネジＮを用いて取り付け可能な長方形の平板形状の固定部材２１と、固定部材２１の表面２１ａに立設された複数のセパレータ軸２２，２２と、セパレータ軸２２，２２の一方の端部２２ａ，２２ａ側の雄ネジ部Ｍ，Ｍにそれぞれ着脱可能に螺着されたＰコン１３，１３と、を備えている。
【００２６】
セパレータ軸２２，２２は、１本の丸棒材をコ字形状に折り曲げて形成され、セパレータ軸２２，２２の他方の端部２２ｂ，２２ｂ同士を繋ぐ連結部２３が、溶接部Ｗによって固定部材２１の表面２１ａに固着されている。固定部材２１に開設された複数の貫通孔Ｈは、連結部２３を挟んで対称をなすように配置されている。なお、セパレータ２０の製造方法は前述した方法に限定されない。
【００２７】
図４に示すように、連結部２３の長さ２３Ｌは、固定部材２１の長辺部２１ｔ方向の長さ２１Ｌより長いので、連結部２３の両方の端部２３ａ，２３ａ、セパレータ軸２２，２２及びセパレータ軸２２，２２の端部２２ｂ，２２ｂは、固定部材２１の短辺部２１ｓよりも外側に突出した位置にある。
【００２８】
次に、図６，図７に基づいて、第三実施形態であるセパレータ３０について説明する。なお、セパレータ２０において、前述したセパレータ１０と共通する部分については、図１，図２中の符号と同符号を付して説明を省略する。
【００２９】
セパレータ３０は、建築構造体（図示せず）の一部にネジＮを用いて取り付け可能なアングル形状の固定部材３１と、固定部材３１の表面３１ａの頂上部３１ｂに立設された複数のセパレータ軸３２，３２と、セパレータ軸３２の端部３２ａ側の雄ネジ部Ｍに着脱可能に螺着されたＰコン１３と、を備えている。
【００３０】
セパレータ軸３２，３２は、それぞれ１本の丸棒材を「〔 」形状に折り曲げて形成され、セパレータ軸３２，３２の中央部３２ｃ，３２ｃ同士を溶接部Ｗで接合することにより、正面視形状が略Ｙ字状をなすように形成され、一方の端部３２ｂ，３２ｂが溶接部Ｗによって固定部材３１の表面３１ａの頂上部３１ｂに固着されている。セパレータ軸３２，３２の他方の端部３２ａ側の雄ネジ部Ｍ，ＭにそれぞれＰコン１３，１３が着脱可能に螺着されている。Ｐコン１３，１３はそれぞれの軸体１４，１４の軸心方向が互いに直角をなすように配置されている。
【００３１】
固定部材３１の横断面形状はＬ字状をなし、頂上部３１ｂを挟んで、セパレータ軸３２，３２の端部３２ｂ，３２ｂより離れた位置に貫通孔Ｈ，Ｈが開設されている。なお、セパレータ３０の製造方法は前述した方法に限定されない。
【００３２】
次に、図８に基づいて、前述したセパレータ１０，２０，３０の使い方などについて説明する。なお、セパレータ１０，２０，３０の構造、機能などについて、図１〜図７に基づいて説明した部分については、図１〜図７中の符号と同符号を付して説明を省略する。
【００３３】
図８は、セパレータ１０，２０，３０の使用状態を示す一部省略水平断面図であり、建築構造体の一つである木造軸組構造体１の周囲に鉄筋コンクリート壁体を構築する場合におけるセパレータ１０，２０，３０の使用状態を示している。
【００３４】
図８に示すように、木造軸組構造体１は、土台２と、土台２上に立設された柱３，４並びに間柱５などで形成され、柱３，４及び間柱５の外側にシージングボード６が取り付けられ、シージングボード６の外面に合成樹脂シート７が付設されている。また、木造軸組構造体１の周囲（シージングボード６及び合成樹脂シート７の外側）に鉄筋（図示せず）が配筋される。
【００３５】
シージングボード６を覆う合成樹脂シート７の外面において間柱５の外側に位置する部分にセパレータ１０が取り付けられている。セパレータ１０はそれぞれの固定部材１１の裏面１１ｂを合成樹脂シート７の外面に密着させ、固定部材１１の表面１１ａ側から貫通孔Ｈ（図１参照）、合成樹脂シート７及びシージングボード６を貫通して間柱５に向かってネジＮを螺着することによって固定されている。
【００３６】
シージングボード６を覆う合成樹脂シート７の外面において柱４の外側に位置する部分にセパレータ２０が取り付けられている。セパレータ２０は固定部材２１の裏面２１ｂを合成樹脂シート７の外面に密着させ、固定部材２１の表面２１ａ側から貫通孔Ｈ（図３参照）、合成樹脂シート７及びシージングボード６を貫通して柱４に向かってネジＮを螺着することによって固定されている。
【００３７】
シージングボード６を覆う合成樹脂シート７の外面において木造軸組構造体１の角隅部に配置された柱３の外側に位置する部分にセパレータ３０が取り付けられている。セパレータ３０は固定部材３１の裏面３１ｂ，３１ｂをそれぞれ、直角をなす合成樹脂シート７，７の外面に密着させ、固定部材３１の表面３１ａ側から貫通孔Ｈ（図６参照）、合成樹脂シート７及びシージングボード６を貫通して柱３に向かってネジＮを螺着することによって固定されている。
【００３８】
セパレータ１０，２０，３０に螺着された複数のＰコン１３から突出する雄ネジ部Ｍがそれぞれコンクリート型枠８の貫通孔８ｈを貫通してコンクリート型枠８の外面８ａから突出するようにコンクリート型枠８を取り付ける。この後、コンクリート型枠８，８の外面８ａから突出しているＰコン１３の雄ネジ部Ｍにホームタイ（図示せず）を螺着して締め付けると、コンクリート型枠８，８を安定した起立状態に保持することができる。
【００３９】
この後、コンクリート型枠８，８の外側に所定の補強部材を配置し、合成樹脂シート７及びシージングボード６とコンクリート型枠８，８との間に生コンクリートを打設し、コンクリートが固化した後、コンクリート型枠８，８及びＰコン１３などを撤去すると、木造軸組構造体１の周囲に、木造軸組構造体１と密着したコンクリート壁体（図示せず）が構築される。
【００４０】
このように、木造軸組構造体１の周囲に鉄筋コンクリート壁体を構築する場合、セパレータ１０，２０，３０を使用することにより、木造軸組構造体１の周囲に配置されたコンクリート型枠８，８と木造軸組構造体１との間隔を一定に保持することができる。また、セパレータ１０，２０，３０はネジＮを使用するだけで木造軸組構造体１に取り付けることができるので、施工性に優れている。さらに、セパレータ１０，２０，３０は、ネジＮが螺着できる部材であれば容易に取り付けることができるので、汎用性にも優れている。
【００４１】
次に、図９〜図１１に基づいて、図１に示すセパレータ１０と組み合わせて使用可能な補助固定部材１１０，１２０，１３０について説明する。
【００４２】
図９（ａ）に示す補助固定部材１１０は、全体がＬ字状をなす平板材（例えば、鋼板など）で形成され、図１に示すセパレータ１０のセパレータ軸１２が嵌入可能なＵ字状の切欠き部１１１を有する平板状の係合部１１２と、係合部１１２の一方の辺縁部１１２ａから直角方向に延設された平板状の係止片１１３と、を備えている。係止片１１３には複数の貫通孔Ｈが開設されるとともに、係止片１１３の先端側には鋭角部１１３ａが設けられている。
【００４３】
図９（ｂ）に示す補助固定部材１２０は、全体がコ字状をなす平板材（例えば、鋼板など）で形成され、図１に示すセパレータ１０のセパレータ軸１２が嵌入可能なＵ字状の切欠き部１２１を有する平板状の係合部１２２と、係合部１２２の両方の辺縁部１２２ａ，１２２ｂからそれぞれ直角方向に延設された一対の係止片１２３，１２３と、を備えている。係止片１２３，１２３にはそれぞれ複数の貫通孔Ｈが開設されるとともに、係止片１２３，１２３の先端側には鋭角部１２３ａ，１２３ａが設けられている。
【００４４】
図９（ｃ）に示す補助固定部材１３０は、全体がコ字状をなす平板材（例えば、鋼板など）で形成され、図１に示すセパレータ１０のセパレータ軸１２が挿通可能な貫通孔１３１を有する平板状の係合部１３２と、係合部１３２の両方の辺縁部１３２ａ，１３２ｂからそれぞれ直角方向に延設された一対の係止片１３３，１３３と、を備えている。係止片１３３，１３３にはそれぞれ複数の貫通孔Ｈが開設されるとともに、係止片１３３，１３３の先端側には鋭角部１３３ａ，１３３ａが設けられている。
【００４５】
ここで、図１０，図１１に基づいて、図９（ｂ）に示す補助固定部材１２０の使用例について説明する。なお、図１０に示すように、補助固定部材１２０の一対の係止片１２３，１２３の対向面間隔１２３ｗは、セパレータ１０の固定部材１１の短辺の幅１１ｗ並びに間柱５の横断面の短辺の幅５ｗより若干広く設定されている。
【００４６】
図１０に示すように、セパレータ１０は、その固定部材１１の裏面１１ｂ（図８参照）を、シージングボード６を覆う合成樹脂シート７の外面に密着させ、複数のネジＮを間柱５に向かって螺着することによって固定されている。
【００４７】
補助固定部材１２０の係止片１２３，１２３の鋭角部１２３ａ，１２３ａを固定部材１１に向け、切欠き部１２１にセパレータ軸１２を嵌入させた姿勢で、補助固定部材１２０を矢線Ｘ方向へ移動させると、鋭角部１２３ａ，１２３ａの先端が固定部材１１を挟んだ状態で合成樹脂シート７の外面に接触する。
【００４８】
この後、補助固定部材１２０の係合部１２２に対し、固定部材１１に向かう打撃力を加え、係合部１２２がセパレータ１０の固定部材１１の表面１１ａに当接するまで打ち込んでいくと、図１１に示すように、鋭角部１２３ａ，１２３ａが合成樹脂シート７及びシージングボード６を貫通して、シージングボード６の裏面６ｂ側に突出するとともに、一対の係止片１２３，１２３が間柱５を挟んだ状態となる。このとき、補助固定部材１２０の係合部１２２は、セパレータ１０の固定部材１１の表面１１ａに当接し、互いに重なり合った状態となる。
【００４９】
この後、補助固定部材１２０の係止片１２３，１２３の貫通孔Ｈから間柱５に向かって複数のネジＮを螺着すると、補助固定部材１２０の係止片１２３，１２３が間柱５に固定される。
【００５０】
図１１に示すように、セパレータ１０は、セパレータ１０の固定部材１１及びセパレータ軸１２に係合した状態で、木造軸組構造体１の一部である間柱５にネジＮを用いて取り付け可能な補助固定部材１２０を備えていることにより、間柱５に対するセパレータ１０の固定力が増大するので、コンクリート型枠８の内側に打設されたコンクリートの側圧（外側に膨らむ力）に対する抵抗力を増大させることができる。
【００５１】
なお、図９（ａ），（ｃ）に示す補助固定部材１１０，１３０の使用例については図示していないが、図１０，図１１に示す補助固定部材１２０と同じような要領で使用することができ、補助固定部材１２０と同様の作用効果を得ることができる。
【００５２】
次に、図１２に基づいて、第四実施形態であるセパレータ４０について説明する。図１２に示すように、セパレータ４０は、建築構造体（図示せず）の一部にネジＮを用いて取り付け可能な長方形平板状の固定部材４１と、固定部材４１の表面４１ａに一方の端部１２ｂ側が固着された直線状のセパレータ軸１２と、セパレータ軸１２の他方の端部側に螺着されたＰコン１３と、固定部材４１の対向する辺縁部４１ｂ，４１ｂから直角方向に延設された補助固定片４２，４２と、を備えている。
【００５３】
固定部材４１及び補助固定片４２，４２には、それぞれ複数の貫通孔Ｈが開設され、補助固定片４２，４２の先端側にはそれぞれ、建築構造体の一部（例えば、図１０に示す合成樹脂シート７及びシージングボードなど）を貫通可能な鋭角部４２ａ，４２ａが設けられている。
【００５４】
セパレータ４０の使い方は限定しないが、例えば、図１０，図１１に示す使用例のような施工を行うことができる。具体的には、合成樹脂シート７で覆われたシージングボード６の外面において、一対の補助固定片４２，４２の間に間柱５が対向するような位置にセパレータ４０の鋭角部４２ａ，４２ａを当接させ、固定部材４１の表面４１ａに、間柱５に向かう打撃力を加え、固定部材４１が合成樹脂シート７の外面に当接するまで打ち込むと、補助固定片４２，４２がシージングボード６の裏面６ｂから突出し、補助固定片４２，４２の間に間柱５を挟んだ状態となる。
【００５５】
この後、固定部材４１の貫通孔Ｈから合成樹脂シート７及びシージングボード６を経由して間柱５に向かってネジＮを螺着するとともに、補助固定片４２，４２の貫通孔Ｈから間柱５に向かってネジＮを螺着すると、セパレータ４０は間柱５に強固に固定される。
【００５６】
セパレータ４０は、図１に示すセパレータ１０のセパレータ軸１２の端部１２ｂに、図９（ｂ），（ｃ）に示す補助固定部材１２０若しくは１３０を固着したような構造であるため、施工条件に応じてセパレータ４０を使用することにより、部品点数の削減を図ることができる。
【００５７】
次に、図１３〜図１５に基づいて、図３〜図５に示すセパレータ２０と組み合わせて使用可能な補助固定部材１５０，１６０，１７０について説明する。
【００５８】
図１３（ａ）に示す補助固定部材１５０は、全体が短冊状の平板材（例えば、鋼板など）で形成され、図３〜図５に示すセパレータ２０のセパレータ軸２２の連結部２３の端部２３ａが嵌入可能なＵ字状の切欠き部１５１を有する係合部１５２と、係合部１５２から延設された平板状の係止部１５３と、を備えている。係止部１５３には複数の貫通孔Ｈが開設されるとともに、係止部１５３の先端側には鋭角部１５３ａが設けられている。
【００５９】
図１３（ｂ）に示す補助固定部材１６０は、全体が短冊状の平板材（例えば、鋼板など）で形成され、図３〜図５に示すセパレータ２０のセパレータ軸２２の連結部２３の端部２３ａが嵌入可能な門型の切欠き部１６１と、鋭角部１６３ａと、を備えている。
【００６０】
図１３（ｃ）に示す補助固定部材１７０は、全体が短冊状の平板材（例えば、鋼板など）で形成され、図３〜図５に示すセパレータ２０のセパレータ軸２２の連結部２３の端部２３ａが貫通可能な長孔１７１と、鋭角部１７３ａと、を備えている。
【００６１】
ここで、図１４，図１５に基づいて、図１３（ａ）に示す補助固定部材１５０の使用例について説明する。
【００６２】
図１４，図１５に示すように、セパレータ２０は、その固定部材２１の裏面２１ｂを、シージングボード６を覆う合成樹脂シート７の外面に密着させ、複数のネジＮを、合成樹脂シート７及びシージングボード６を貫通して柱４に向かって螺着することによって固定されている。
【００６３】
図１４に示すように、傾斜させた補助固定部材１５０の鋭角部１５３ａを連結部２３の端部２３ａ付近の合成樹脂シート７の表面に当接させ、補助固定部材１５０の端部１５０ｂに矢線Ｙ方向の打撃力を加え、連結部２３の端部２３ａが切欠き部１５１に嵌り込むまで打ち込むと、補助固定部材１５０の鋭角部１５３ａ側は合成樹脂シート７及びシージングボード６を貫通してシージングボード６の裏面６ｂから突出し、係止部１５３が柱４の側面４ａに当接した状態となる。
【００６４】
この後、図１５に示すように、補助固定部材１５０の係止部１５３の貫通孔Ｈから柱４に向かって複数のネジＮを螺着すると、セパレータ２０の連結部２３の端部２３ａが切欠き部１５１に嵌り込んだ状態で補助固定部材１５０が柱４に固定される。
【００６５】
図１４，図１５に示すように、セパレータ２０は、セパレータ軸２２の連結部２３の端部２３ａに係合した状態で、木造軸組構造体１の一部である柱４にネジＮを用いて取り付け可能な補助固定部材１５０を備えていることにより、柱４に対するセパレータ２０の固定力が増大するので、コンクリート型枠８の内側に打設されたコンクリートの側圧（外側に膨らむ力）に対する抵抗力を増大させることができる。
【００６６】
なお、図１３（ｂ），（ｃ）に示す補助固定部材１６０，１７０の使用例については図示していないが、図１４，図１５に示す補助固定部材１５０と同じような要領で使用することができ、補助固定部材１５０と同様の作用効果を得ることができる。
【００６７】
次に、図１６に基づいて、第５実施形態であるセパレータ５０について説明する。図１６に示すように、セパレータ５０は、建築構造体（図示せず）の一部にネジＮを用いて取り付け可能な長方形平板状の固定部材５１と、固定部材５１の表面５１ａに立設された複数のセパレータ軸５２，５２と、セパレータ軸５２，５２の一方の端部側の雄ネジ部Ｍ，Ｍにそれぞれ着脱可能に螺着されたＰコン１３，１３と、を備えている。
【００６８】
セパレータ軸５２，５２は、１本の丸棒材をコ字形状に折り曲げて形成され、セパレータ軸５２，５２の他方の端部５２ｂ，５２ｂ同士を繋ぐ連結部５３が、溶接部Ｗによって固定部材５１の表面５１ａに固着されている。固定部材５１に開設された複数の貫通孔Ｈは、連結部５３を挟んで対称をなすように配置されている。
【００６９】
連結部５３の両方の端部５３ａ，５３ａ及びセパレータ軸５２，５２の端部５２ｂ，５２ｂは、固定部材５１の短辺部５１ｓよりも外側に突出した位置にある。セパレータ軸５２，５２の端部５２ｂ，５２ｂと、連結部５３の両方の端部５３ａ，５３ａとの間の折曲部５２ｃ，５２ｃの内側には、それぞれ三角形状の補強リブ５２ｄ，５２ｄが固着されている。
【００７０】
固定部材５１の短辺部５１ｓ，５１ｓからそれぞれ直角方向に補助固定片５４，５４が延設されている。補助固定片５４，５４には複数の貫通孔Ｈ，Ｈが開設され、補助固定片５４，５４の先端側には鋭角部５４ａ，５４ａが設けられている。なお、セパレータ５０の製造方法は前述した方法に限定されない。
【００７１】
セパレータ５０の使い方は限定しないが、例えば、図１５に示す使用例のような施工を行うことができる。具体的には、合成樹脂シート７で覆われたシージングボード６の外面において、一対の補助固定片５４，５４の間に柱４が対向するような位置にセパレータ５０の補助固定片５４，５４の鋭角部５４ａ，５４ａを当接させ、固定部材５１の表面５１ａに、柱４に向かう打撃力を加え、固定部材５１が合成樹脂シート７の外面に当接するまで打ち込むと、補助固定片５４，５４がシージングボード６の裏面６ｂから突出し、補助固定片５４，５４の間に柱４が挟まれた状態となる。
【００７２】
この後、固定部材５１の貫通孔Ｈから合成樹脂シート７及びシージングボード６を経由して柱４に向かってネジＮを螺着するとともに、補助固定片５４，５４の貫通孔Ｈから柱４に向かってネジＮを螺着すると、セパレータ５０は柱４に強固に固定される。
【００７３】
セパレータ５０は、図３に示すセパレータ２０の固定部材２１の短辺部２１ｓ，２１ｓにそれぞれ図１３（ａ）に示す補助固定部材１５０を固着したような構造であるため、施工条件に応じてセパレータ５０を使用することにより、部品点数の削減を図ることができる。
【００７４】
以上のように、建築構造体（例えば、図８に示す木造軸組構造体１）の周囲に鉄筋コンクリート構造物（例えば、コンクリート壁体など）を構築する場合、セパレータ１０，２０，３０，４０，５０などを使用することにより、建築構造体の周囲に配置されたコンクリート型枠８と建築構造物との間隔を一定に保持することができるので、施工性が良好となる。また、セパレータ１０，２０，３０，４０，５０はネジＮにより建築構造体に固定することができるので、汎用性にも優れている。
【００７５】
前述したように、セパレータ１０，２０，３０，４０，５０並びに補助固定部材１１０，１２０，１３０，１５０，１６０，１７０の用途や使い方は限定されないが、例えば、特許第６３９９５６７号公報に記載されている「建築方法及び建築物」などにおいて好適に使用することができる。
【００７６】
なお、図１〜図１６に基づいて説明したセパレータ１０，２０，３０，４０，５０などは、本発明に係るセパレータを例示するものであり、本発明に係るセパレータは、前述したセパレータ１０，２０，３０，４０，５０などに限定されない。
【産業上の利用可能性】
【００７７】
本発明に係るセパレータは、建築業、土木建設業などの産業分野において広く利用することができる。
【符号の説明】
【００７８】
１  木造軸組構造体
２  土台
３，４  柱
４ａ  側面
５  間柱
５ｗ，１１ｗ  幅
６  シージングボード
６ｂ  裏面
７  合成樹脂シート
８  コンクリート型枠
８ａ  外面
８ｈ，１３１，Ｈ  貫通孔
１０，２０，３０，４０，５０  セパレータ
１１，２１，３１，４１，５１  固定部材
１１ａ，２１ａ，３１ａ，４１ａ，５１ａ  表面
１１ｂ，２１ｂ，３１ｂ  裏面
１２ａ，１２ｂ，１３ａ，１３ｂ，２２ａ，２２ｂ，２３ａ，３２ａ，３２ｂ，５２ｂ，１５０ｂ  端部
１２，２２，３２，５２  セパレータ軸
１３  Ｐコン
１３ｃ  凹部
１４  軸体
１４ｎ  ナット部
２１Ｌ，２３Ｌ  長さ
２１ｓ，５１ｓ  短辺部
２１ｔ  長辺部
２３，５３  連結部
３１ｂ  頂上部
３２ｃ  中央部
４１ｂ，１１２ａ，１２２ａ，１２２ｂ，１３２ａ，１３２ｂ  辺縁部
４２  補助固定片
４２ａ，５４ａ，１１３ａ，１２３ａ，１３３ａ，１５３ａ，１６３ａ，１７３ａ  鋭角部
５２ｃ  折曲部
５２ｄ  補強リブ
１１０，１２０，１３０，１５０，１６０，１７０  補助固定部材
１１１，１２１，１５１，１６１  切欠き部
１１２，１２２，１３２，１５２  係合部
１１３，１２３，１３３  係止片
１３１  貫通孔
１２３ｗ  対向面間隔
１５３  係止部
１７１  長孔
Ｆ  雌ネジ部
Ｍ  雄ネジ部
Ｗ  溶接部
【図１】
2020139326.tif 000003
【図２】
2020139326.tif 000004
【図３】
2020139326.tif 000005
【図４】
2020139326.tif 000006
【図５】
2020139326.tif 000007
【図６】
2020139326.tif 000008
【図７】
2020139326.tif 000009
【図８】
2020139326.tif 000010
【図９】
2020139326.tif 000011
【図１０】
2020139326.tif 000012
【図１１】
2020139326.tif 000013
【図１２】
2020139326.tif 000014
【図１３】
2020139326.tif 000015
【図１４】
2020139326.tif 000016
【図１５】
2020139326.tif 000017
【図１６】
2020139326.tif 000018
【図１７】
2020139326.tif 000019